(57)【要約】【課題】記録媒体Ｐ２の残量に応じて巻き癖矯正の強弱を変化させつつ、成果物の品位の低下を抑制することができる給送装置および記録装置を提供すること。【解決手段】ロールメディアＰ１の外径に基づいて、アーム部材５４を回動することで、デカールローラ５３で記録媒体Ｐ２を矯正する。【選択図】図７
2019023132.tif 000002
【特許請求の範囲】
【請求項１】
シートがロール状に巻かれた状態のロール媒体を回転可能に保持する保持手段と、
前記ロール媒体から前記シートを引き出して搬送する搬送手段と、
前記搬送手段の搬送方向において、前記保持手段よりも下流側かつ前記搬送手段よりも上流側に設けられ、前記ロール媒体を押圧することなく、引き出された前記シートの湾曲を矯正するように、引き出された前記シートに接触して矯正作用を作用させる矯正手段と、
前記ロール媒体の残量を検出する残量検出手段と、
前記矯正手段による矯正作用を、前記残量検出手段が検出した前記ロール媒体の残量に基づいて可変させる可変手段と、
を有することを特徴とする搬送装置。
【請求項２】
前記矯正手段は、前記保持手段と前記搬送手段との間に設けられ、前記残量検出手段が検出した前記ロール媒体の残量が第１残量である場合には、前記ロール媒体の残量が前記第１残量よりも多い第２残量である場合よりも、前記矯正作用が大きくなるように前記可変手段によって前記矯正作用を可変することを特徴とする請求項１に記載の搬送装置。
【請求項３】
前記残量検出手段は、前記保持手段が保持する前記シートの外径に基づいて前記ロール媒体の残量を検出することを特徴とする請求項１又は２に記載の搬送装置。
【請求項４】
前記残量検出手段は、前記保持手段の回転速度に基づいて、前記保持手段に保持された前記ロール媒体の残量を検出することを特徴とする請求項１乃至請求項３のいずれか１項に記載の搬送装置。
【請求項５】
前記保持手段は、前記残量検出手段が前記回転速度を検出するためのスリットが設けられた検出部材を有し、前記残量検出手段は、前記検知部材のスリットの検出間隔から前記ロール媒体の残量を検出するフォトインタラプタであることを特徴とする請求項４に記載の搬送装置。
【請求項６】
前記保持手段は、前記残量検出手段が前記回転速度を検出するための磁石が設けられており、前記残量検出手段は、前記保持手段が有する磁石の検出間隔から前記ロール媒体の残量を検出する磁気センサであることを特徴とする請求項４に記載の搬送装置。
【請求項７】
前記矯正手段は、前記シートと接触する一端とは異なる他端を中心として、駆動手段によって回動可能に軸支され、前記駆動手段によって回動位置を変更することで前記矯正作用を可変可能であることを特徴とする請求項１ないし請求項５のいずれか１項に記載の搬送装置。
【請求項８】
前記シートと接触する一端に、回転可能なローラを有することを特徴とする請求項７に記載の搬送装置。
【請求項９】
前記矯正手段は、所定の力以上での回動を防ぐトルクリミッタを有していることを特徴とする請求項７又は８に記載の搬送装置。
【請求項１０】
前記矯正手段は、前記ロール媒体の残量に応じて、前記ロール媒体の残量が減少することによって生じた領域で前記シートに矯正作用を作用させるように前記回動位置を変更することを特徴とする請求項７ないし請求項９のいずれか１項に記載の搬送装置。
【請求項１１】
前記矯正手段の回動位置に応じて、鉛直方向に対する前記ロール媒体からの前記シートの引き出し角度が変更されることを特徴とする請求項７ないし請求項１０のいずれか１項に記載の搬送装置。
【請求項１２】
前記保持手段は、前記保持手段の回転に所定の負荷を与えるトルクリミッタを有していることを特徴とする請求項１ないし請求項９のいずれか１項に記載の搬送装置。
【請求項１３】
シートがロール状に巻かれた状態のロール媒体を回転可能に保持する保持手段と、
前記ロール媒体から前記シートを引き出して搬送する搬送手段と、
前記搬送手段の搬送方向において、前記保持手段よりも下流側かつ前記搬送手段よりも上流側に設けられ、前記ロール媒体を押圧することなく、引き出された前記シートを重力方向に押圧する押圧作用を作用させる押圧手段と、
前記ロール媒体の残量を検出する残量検出手段と、
前記押圧手段による押圧作用を、前記残量検出手段が検出した前記ロール媒体の残量に基づいて可変させる可変手段と、
を有することを特徴とする搬送装置。
【請求項１４】
前記搬送手段で搬送される前記記録媒体に記録を行う記録手段と、
請求項１ないし請求項１３のいずれか１項に記載の搬送装置と、
を有することを特徴とする記録装置。
【請求項１５】
前記記録手段は、記録媒体に液体を吐出して記録を行うことを特徴とする請求項１４に記載の記録装置。
【発明の詳細な説明】
【技術分野】
【０００１】
本発明は、ロール状に巻かれた記録媒体を引き出しつつ搬送する搬送装置および記録装置に関する。
【背景技術】
【０００２】
ロール状に巻かれた記録媒体は、引き出されても巻き癖が残ることによって、搬送、記録や積載時に障害が発生することがある。そこで、引き出された記録媒体の巻き癖を緩和するデカール機構を備えた記録装置が知られている。
【０００３】
通常、ロール状に巻かれた記録媒体は、芯部材に巻きつけられており、巻き始め部と巻き外周部とで、巻き癖の強弱に差が生じる。また、引き出し量に応じて、引き出し位置（記録媒体の出所）にも変化が生じる。そのためデカール機構は、引き出し位置の変化に対応しつつ、巻き癖を適正に緩和することが求められる。
【０００４】
特許文献１では、カール矯正部材をロール状の記録媒体外周部に付勢させて、記録媒体の残量に応じて巻き癖の矯正力を変化させることが記載されている。
【先行技術文献】
【特許文献】
【０００５】
【特許文献１】特開平０４−１８９５７３号公報
【発明の概要】
【発明が解決しようとする課題】
【０００６】
しかし、特許文献１の構成では、カール矯正部材がロール状の記録媒体外周部に常に押圧されているため、記録媒体に押圧による跡が生じてしまうという懸念があり、成果物の品位が低下する恐れがあった。
【０００７】
よって本発明は、記録媒体のカールを矯正しつつ、成果物の品位の低下を抑制することができる搬送装置および記録装置を提供することを目的とする。
【課題を解決するための手段】
【０００８】
そのため本発明の搬送装置は、シートがロール状に巻かれた状態のロール媒体を回転可能に保持する保持手段と、前記ロール媒体から前記シートを引き出して搬送する搬送手段と、前記搬送手段の搬送方向において、前記保持手段よりも下流側かつ前記搬送手段よりも上流側に設けられ、前記ロール媒体を押圧することなく、引き出された前記シートの湾曲を矯正するように、引き出された前記シートに接触して矯正作用を作用させる矯正手段と、前記ロール媒体の残量を検出する残量検出手段と、前記矯正手段による矯正作用を、前記残量検出手段が検出した前記ロール媒体の残量に基づいて可変させる可変手段と、
を有することを特徴とする。
【発明の効果】
【０００９】
本発明によれば、記録媒体のカールを矯正しつつ、成果物の品位の低下を抑制することができる搬送装置および記録装置を実現することができる。
【図面の簡単な説明】
【００１０】
【図１】記録装置を模式的に示した側面図である。
【図２】記録装置の制御系を示すブロック図である。
【図３】ヘッドユニット、搬送機構部を示した斜視図である。
【図４】ヘッドユニット、搬送機構部を示した側面図である。
【図５】記録装置のロールホルダ、ガイドユニット、搬送機構を示した側面図である。
【図６】記録装置のロールホルダ、ガイドユニット、搬送機構を示した側面図である。
【図７】記録装置のロールホルダ、ガイドユニット、搬送機構を示した側面図である。
【図８】検知板のスリットを検知した際に出力する波形を示した図である。
【図９】ロールホルダ、ガイドユニット、搬送機構を示した側面図である。
【図１０】巻き癖矯正制御のフローを示すフローチャートである。
【図１１】ロールホルダ、ガイドユニット、搬送機構を示した側面図である。
【図１２】ロールホルダ、ガイドユニット、搬送機構を示した側面図である。
【発明を実施するための形態】
【００１１】
以下、図面を参照して本発明の第１の実施形態について説明する。
【００１２】
図１は、本実施形態を適用可能な、液体（インクともいう）を吐出して記録を行う記録装置１０を模式的に示した側面図である。記録装置１０はホストＰＣ１２とケーブルを介して接続されており、ホストＰＣ１２から送信される記録情報に基づいて、４つのヘッドユニット２２Ｋ、２２Ｃ、２２Ｍ、２２Ｙから記録媒体Ｐにインクを吐出して記録を行う。４つのヘッドユニット２２Ｋ、２２Ｃ、２２Ｍ、２２Ｙが、記録媒体Ｐの搬送方向（矢印Ａ方向）に沿って配置されている。各ヘッドユニットは搬送方向に黒インク用ヘッドユニット２２Ｋ、シアンインク用ヘッドユニット２２Ｃ、マゼンタインク用ヘッドユニット２２Ｍ、イエローインク用ヘッドユニット２２Ｙの順で配置されている。
【００１３】
ヘッドユニット２２Ｋ、２２Ｃ、２２Ｍ、２２Ｙは所謂ラインヘッドであり、記録媒体Ｐの搬送方向に対して記録幅全域に亘ってそれぞれを平行に並べた状態で設けられている。記録装置１０が記録を行う際は、各ヘッドユニットを移動させることなく、ヘッドユニットに設けられたヒータを駆動することによって吐出口からインクを吐出して記録を行う。
【００１４】
記録媒体Ｐは記録装置１０本体に対し回動可能に軸支されたスプール２４にセットされており記録媒体Ｐの先端部が記録媒体の搬送方向と直交する方向の規制をするガイド部２５を介して搬送機構３０によって矢印Ａ方向に搬送される。
【００１５】
更に記録装置１０には、各ヘッドユニットに供給されるインクを貯めておくインクタンクや、各ヘッドユニットにインクを補充可能なポンプや、クリーニング動作をするためのポンプや、排出された記録媒体Ｐを切断する排出カッタ２８などが備えられている。
【００１６】
図２は、記録装置１０の制御系を示すブロック図である。ホストＰＣ１２から送信された記録情報やコマンドは、インターフェイスコントローラ１０２を介してＣＰＵ１００に受信される。ＣＰＵ１００は、記録装置１０の記録情報の受信、記録動作、記録媒体Ｐの搬送等全般の制御を掌る演算処理装置である。ＣＰＵ１００では、受信したコマンドを解析した後に、記録データの各色成分のイメージデータをイメージメモリ１０６にビットマップ展開して描画する。記録前に行う動作処理では、出力ポート１１４およびモータ駆動部１１６を介してキャッピングモータ１２２とヘッドアップダウンモータ１１８を駆動し、各ヘッドユニット２２Ｋ、２２Ｃ、２２Ｍ、２２Ｙをキャップ５０から離して記録位置に移動させる。またＣＰＵ１００は、出力ポート１１４およびモータ駆動部１１６を介して各モータと接続されており、記録媒体Ｐを搬送する搬送モータ１２０等を駆動して記録媒体Ｐを記録位置に搬送する制御を行う。
【００１７】
記録を行う際は、一定速度で搬送される記録媒体Ｐにインクを吐出するタイミング（記録タイミング）を決定するため、先端検知センサ１０９で記録媒体Ｐの先端位置を検出する。その後、記録媒体Ｐの搬送に同期して、ＣＰＵ１００はイメージメモリ１０６から記録情報を順次読み出し、この読み出した記録情報を各ヘッドユニット２２Ｋ、２２Ｃ、２２Ｍ、２２Ｙに、ヘッドユニット制御回路１１２を経由して転送する。
【００１８】
ＣＰＵ１００の動作はプログラムＲＯＭ１０４に記憶された処理プログラムに基づいて実行される。プログラムＲＯＭ１０４には、制御フローに対応する処理プログラムおよびテーブルなどが記憶されている。また、ＣＰＵ１００は作業用のメモリとしてワークＲＡＭ１０８を使用する。さらにＣＰＵ１００は、各ヘッドユニット２２Ｋ、２２Ｃ、２２Ｍ、２２Ｙのクリーニングや回復動作時に、出力ポート１１４、モータ駆動部１１６を介してポンプモータ１２４を駆動し、インクの加圧および吸引等の制御を行う。
【００１９】
図３は、記録装置１０におけるヘッドユニット、搬送機構部を示した斜視図であり、図４は同側面図である。搬送機構３０には、記録媒体Ｐを載置して搬送する３本の搬送ベルト３１が給送側軸３３と排出側軸３２と端部にエンコーダ３４Ａを備えたエンコーダ軸３４によって張力をもって架けられている。搬送機構３０は、駆動ベルト３７を介し排出側軸３２に駆動を伝える駆動モータ３６によって搬送ベルト３１を回転させ、搬送ベルト３１に対し記録媒体Ｐを加圧する３個のピンチローラ３５によって記録媒体を搬送する様に構成されている。さらに搬送機構３０には、エンコーダ軸３４に設けられたエンコーダ３４Ａの回転を読み取るエンコーダセンサ３４Ｂ、記録媒体Ｐの先端位置を検知する先端検知センサ１０９が搭載されている。
【００２０】
各ヘッドユニット２２は、搬送方向に黒インク用ヘッドユニット２２Ｋ、シアンインク用ヘッドユニット２２Ｃ、マゼンタインク用ヘッドユニット２２Ｍ、イエローインク用ヘッドユニット２２Ｙの順で並列に並んでいる。そして、各ヘッドユニット２２は、搬送機構の搬送ベルト３１面に対し垂直（矢印Ｂ方向）に上下動するキャリッジ２０に搭載されている。各ヘッドユニット２２は、本体に搭載されたコントロール基板（不図示）とフレキシブルケーブル（不図示）によって接続されておりインク吐出に関する信号を受信する。また本体に搭載されている電源ユニットと電源ケーブル（不図示）によって接続されており電源が供給される。吐出されるインクは、インク供給チューブ２１よってインクタンク(不図示)と接続されておりインク吐出に伴って随時各ヘッドユニット２２に供給される。
【００２１】
フレキシブルケーブル、電源ケーブル、インク供給チューブはキャリッジ２０に搭載されているレバー２０Ａを解放することで各ヘッドユニット２２から解放される。更にキャリッジ２０に搭載されているレバー２０Ｂを解除することで各記録ヘッド２２を取り外すことができ、必要に応じて交換可能となっている。
【００２２】
記録装置１０がホストＰＣ１２から記録を行う信号を受信した際には、キャリッジ２０が記録ポジションまで下降し搭載された各ヘッドユニット２２が記録媒体Ｐ２に対し所定の距離を保った位置に移動する。その後、記録媒体Ｐ２の搬送が開始され先端検知センサ１０９の信号で搬送中の記録媒体Ｐ２がブラックのヘッドユニット２２Ｋの下に到達したことを検知し、ホストＰＣ１２から送られた記録情報に基づいて、ヘッドユニット２２Ｋからブラックインクが吐出される。
【００２３】
同様にヘッドユニット２２Ｃ、ヘッドユニット２２Ｍ、ヘッドユニット２２Ｙの順に、各色のインクが吐出される。この際にエンコーダ検知センサ３４Ｂの信号に基づいて搬送ベルト３１の搬送スピードを制御すると同時にインクの吐出タイミングを制御している。記録の終了した記録媒体Ｐ２はそのまま搬送、排出され排出スタッカ上に積載される。記録終了後はキャリッジ２０が上昇して搬送機構３０から離れた位置に移動して記録ヘッド２２と搬送機構３０の間にキャップユニット（不図示）が移動し、その上にキャリッジ２０が下降することで各記録ヘッド２２の吐出口部をキャッピングする。
【００２４】
図５から図７は、記録装置１０のロールホルダ５０、ガイドユニット５６、搬送機構３０を示した側面図である。ロールメディアＰ１（以下、巻かれた状態のロールメディアＰ１と、引き出された記録媒体Ｐ２とを区別して記載する）は、ロールホルダ５０に保持され、ロールホルダ５０と共に回転可能に軸支される。ロールメディアＰ１から引き出された記録媒体Ｐ２の端部は、ガイドユニット５６を介して搬送機構３０に給送される。ロールホルダ５０には不図示のトルクリミッタが設けられており、ロールホルダ５０の回転に所定の負荷を与えている。ガイドユニット５６は、搬送機構３０に対して、記録媒体Ｐ２の搬送方向上流側に設けられており、ガイドユニット５６には、一端をモータ５７を介して回動可能に軸支され、他端に回動可能に軸支されたデカールローラ５３を備えたアーム部材５４が設けられている。アーム部材５４は、モータ５７によって回動可能に構成されており、更にアーム部材５４には、トルクリミッタが設けられており、所定の力以上では回動しないように構成されている。ロールメディアＰ１から引き出された記録媒体Ｐ２の先端を搬送機構３０へ導く際には、デカールローラ５３は上部へ退避（図６参照）しており、搬送駆動時には、記録媒体Ｐ２表面上の給送を規制する位置まで移動する。
【００２５】
搬送機構３０による記録媒体Ｐ２の搬送力とロールホルダ５０のトルクリミッタ（不図示）による回転の規制とによって、記録媒体Ｐ２に対してテンションが生じる。そして、ロールメディアＰ１から記録媒体Ｐ２が引き出された位置で、巻かれていた際の巻き中心側の面と反対側の面（矯正面）にデカールローラ５３が当接し、付勢して記録媒体Ｐ２を曲げる。このときデカールローラ５３は、巻かれていた際の巻き中心側の面と反対側の面が内側となって曲げるため、記録媒体Ｐ２の巻き癖が矯正される。ロールホルダ５０に設けられたトルクリミッタと、アーム部材５４に設けられたトルクリミッタとで、ロールメディアＰ１から引き出された記録媒体Ｐ２には、必要以上にテンションがかからないように構成されている。
【００２６】
ロールメディアＰ１が使用開始直後で、外径が十分に大きい場合（図５参照）、記録媒体Ｐ２の巻き癖は比較的弱いものとなっており、それに応じてデカールローラ５３による矯正も弱いものとなるように、アーム部材５４は比較的、姿勢を立てた状態となる。また、ロールメディアＰ１が使用開始から十分に時間が経過して、記録媒体Ｐ２の引き出し量が多くなり、外径が小さくなった場合（図７参照）、記録媒体Ｐ２の巻き癖は強いものとなっている。その強くなった巻き癖に応じて、デカールローラ５３による矯正も強くなるように、アーム部材５４は傾きが大きくなり寝た姿勢となる。このように、記録媒体Ｐ２の巻き癖の強弱に応じて、アーム部材５４の傾斜角度を調整することで、デカールローラ５３による記録媒体Ｐ２への矯正の強弱を制御している。
【００２７】
ロールホルダ５０には中心にシャフト５１が設けられておりシャフト５１にロールメディアＰ１の回転と同期して回動する検知板５２が設けられている。検知板５２は外周近傍部に等間隔にスリット５２Ａ（検知板を貫通する穴）が設けられており、検知板外周部にはスリット５２Ａを検知可能なフォトインタラプタ５５が設けられている。給送が始まり搬送機構３０が記録媒体Ｐ２の搬送を開始すると、ロールメディアＰ１は回転し検知板５２も同時に回転するためフォトインタラプタ５５が検知板５２の透過、遮光を検知する。
【００２８】
図８（ａ）、（ｂ）は、フォトインタラプタ５５が検知板５２のスリット５２Ａを検知した際に出力する波形を示した図であり、図９は、ロールホルダ５０、ガイドユニット５６、搬送機構３０を示した側面図である。図８（ａ）は、ロールメディアＰ１の外径が大きい使用開始直後の波形であり、図８（ｂ）は、ロールメディアＰ１の外径が小さくなった時点での波形である。波形における周期は矢印Ｃ、Ｃ’表される。記録中の記録媒体Ｐ２の搬送速度は一定であるため、記録時のロールメディアＰ１の回動速度は外径が大きい時ほど遅くなり、ロールメディアＰ１の外径が小さくなるにしたがって速くなる。そのため、ロールメディアＰ１の外径が小さいと、フォトインタラプタ５５が検知板５２のスリット５２Ａを検知する周期も短くなる。
【００２９】
このように、フォトインタラプタ５５によって検知板５２のスリット５２Ａを検知する周期からロールメディアＰ１の外径を認識することができる。図９に示すように、ロールメディアＰ１の外径が最も小さくなった状態で引き出される記録媒体Ｐ２は、最も巻き癖が強いものとなっている。そのためアーム部材５４は、垂直方向に対して最も傾斜角が大きく傾いた状態となり、記録媒体Ｐ２に対して最も強く矯正が行われる。
【００３０】
なお、上記の通り記録媒体Ｐ２の引き出し量に基づいて、アーム部材５４は略立った姿勢から、最も傾斜角が大きく傾いた状態まで回動するが、その間、デカールローラ５３がロールメディアＰ１の外周に当接することはない。従って、ロールメディアＰ１の記録媒体Ｐ２にデカールローラ５３の押圧による跡が生じることはなく、成果物である記録結果の品位を低下させることはない。
【００３１】
このように、フォトインタラプタ５５で検知することによって得たロールメディアＰ１の外径に基づいて、アーム部材５４の傾きを制御することで、巻き癖の強弱に応じた、デカールローラ５３による記録媒体Ｐ２の巻き癖の矯正を行うことができる。
【００３２】
図１０を用いて、本実施形態におけるＣＰＵ１００の動作を説明する。図１０は本実施形態における巻き癖矯正制御のフローを示すフローチャートである。
【００３３】
ユーザーからの印刷指示をインターフェース１０２によって受けると、ＣＰＵ１００は、Ｓ１０１において、搬送モータ１２０によって、搬送機構３０を駆動し、記録媒体Ｐ２の搬送を開始する。搬送を開始すると、ＣＰＵ１００は、Ｓ１０２において、フォトインタラプタ５５によってロールメディアＰ１の外径を検出する。そして、Ｓ１０２において検出したロールメディアＰ１の外径から、ＣＰＵ１００は、Ｓ１０３において、テーブルを用いてアーム部材５４の傾斜角度を決定する。
【００３４】
次に、ＣＰＵ１００は、Ｓ１０４において、アーム部材５４の傾斜角度がＳ１０３において決定した傾斜角度になるようにモータ５７を用いてアーム部材５４を回動させる。
そして、ＣＰＵ１００は、Ｓ１０５において、印字動作が終了したかどうかを判定し、終了していない場合（Ｓ１０５：Ｎｏ）は、Ｓ１０２以降のフローを繰り返す。
【００３５】
ＣＰＵ１００は、Ｓ１０５において印字動作が終了したと判定した場合（Ｓ１０５：Ｙｅｓ）は、Ｓ１０６において、図１１のように、搬送モータ１２０によって搬送機構３０を、記録媒体Ｐ２を搬送する方向とは逆方向に所定量（本実施形態では５０ｍｍ）だけバックフィードさせ、記録媒体Ｐ２とデカールローラ５３とを離間させ、Ｓ１０７において搬送を停止して巻き癖矯正制御を終了する。
【００３６】
図１１はロールホルダ５０、ガイドユニット５６、搬送機構３０を示した側面図である。このように、記録媒体Ｐ２とデカールローラ５３とを離間させることで待機時に記録媒体Ｐ２に逆巻き癖をつけることを防止することができる。なお、記録媒体Ｐ２とデカールローラ５３との離間は、アーム部材５４を回動させることでも同様の効果を得ることができる。なお、本実施形態ではラインヘッドの記録装置を例に説明したがこれに限定するものでなく、シリアルタイプの記録装置等にも適用することができる。
【００３７】
また、本実施形態では、フォトインタラプタ５５によって検知板５２のスリット５２Ａを検知する周期からロールメディアＰ１の外径を認識したが、これに限定するものではなく、センサ等で外径を検出してもよい。また、記録媒体Ｐ２の引き出し量から外径を取得してもよい。また、記録装置がセンサ等を備えることなく、ロールメディアＰ１の外径に関する情報を外部から取得してもよい。
【００３８】
このように、ロールメディアＰ１の外径に基づいて、アーム部材５４を回動することで、デカールローラ５３で記録媒体Ｐ２を矯正する。これによって、記録媒体Ｐ２の残量に応じて巻き癖矯正の強弱を変化させつつ、成果物の品位の低下を抑制することができる搬送装置および記録装置を実現することができた。
【００３９】
（第２の実施形態）
以下、図面を参照して本発明の第２の実施形態を説明する。なお、本実施形態の基本的な構成は第１の実施形態と同様であるため、以下では特徴的な構成についてのみ説明する。
【００４０】
図１１は、本実施形態の記録装置１０におけるロールホルダ５０、ガイドユニット５６、搬送機構３０を示した側面図である。本実施形態の記録装置１０におけるロールホルダ６０の外周部には、円周方向に沿って等間隔に磁石５８Ａが１２個埋め込まれており、対向する位置には磁気センサ５８が設けられている。第１の実施形態と同様に、ロールメディアＰ１が給送され搬送機構３０によって搬送が開始されると、ロールメディアＰ１と同時にロールホルダ６０も回動し、磁気センサ５８によって波形が検出される。検出された波形の周期がロールホルダ６０の回転速度に比例し、ロールメディアＰ１の外径を認識可能となる。これによってデカールローラ５３が回動して、記録媒体Ｐ２の巻き癖の強さに応じた矯正が可能となる。
【００４１】
このように、ロールメディアＰ１の外径に基づいて、アーム部材５４を回動することで、デカールローラ５３で記録媒体Ｐ２を矯正する。これによって、記録媒体Ｐ２の残量に応じて巻き癖矯正の強弱を変化させつつ、成果物の品位の低下を抑制することができる搬送装置および記録装置を実現することができた。
【００４２】
上述した実施形態では、ロールメディアの外径を検出して、その外径に応じた矯正を引き出された記録媒体に行なう構成としたが、本発明の適用はこれに限らず、ロールメディアの外径を検出せずに、ロールメディアの回転数に連動してアーム部材が回動する角度が変化するような構成（例えば、回転数を検出したり、所定回転数だけロールメディアが回転するごとに所定角度だけアーム部材が回動するようにギアで連動させたりする等）としても、本発明を適用することができる。
【符号の説明】
【００４３】
１０  記録装置
３０  搬送機構
５３  デカールローラ
５４  アーム部材
５０  ロールホルダ
Ｐ  ロールメディア
【図１】
2019023132.tif 000003
【図２】
2019023132.tif 000004
【図３】
2019023132.tif 000005
【図４】
2019023132.tif 000006
【図５】
2019023132.tif 000007
【図６】
2019023132.tif 000008
【図７】
2019023132.tif 000009
【図８】
2019023132.tif 000010
【図９】
2019023132.tif 000011
【図１０】
2019023132.tif 000012
【図１１】
2019023132.tif 000013
【図１２】
2019023132.tif 000014